(57)【特許請求の範囲】
【請求項１】
鉄道における分岐器の転換鎖錠等を行うための転てつ機やクランク類等の転てつ装置を取り付ける装置において、転てつ機やクランク類等のきょう体の側面と上部斜面を押さえるような構造の固定金具と、固定部と前記きょう体の間に挿入され前記きょう体を挟んで対向する方向に前記きょう体の側面に沿ってスライドさせることで前記きょう体を前記固定金具側へ押し付けるようにした構造を有し前記きょう体の側部を押さえるような面を持つ調整金具の組を少なくともお互いに直交する方向に１組以上ずつ配置して前記転てつ装置のきょう体を取り付けることを特徴とする転てつ装置の取付装置。
【請求項２】
請求項１記載の転てつ装置の取付装置において、前記調整金具は第１調整金具と第２調整金具とを含み、前記転てつ装置は敷板を有し、前記きょう体を前記固定金具側へ押し付ける位置の反対側の位置に第１調整金具を設け、第２調整金具を用いて前記第１調整金具の背面に沿ってスライドさせることで、前記第１調整金具の背部を押さえるようにしたことを特徴とする転てつ装置の取付装置。
【請求項３】
請求項２記載の転てつ装置の取付装置において、前記第２調整金具が前記第１調整金具を押さえる部分は、所定の傾斜角度を有することを特徴とする転てつ装置の取付装置。
【請求項４】
請求項１記載の転てつ装置の取付装置において、前記固定部の上部は前記調整金具へ向かって水平方向に突出し、前記調整金具の下部は前記固定部へ向けて水平方向に突出することを特徴とする転てつ装置の取付装置。
【請求項５】
鉄道における分岐器の転換鎖錠等を行うための転てつ機やクランク類等の転てつ装置を取り付ける方法において、転てつ機やクランク類等のきょう体の側面と上部斜面を押さえるような構造の固定金具と、固定部と前記きょう体の間に挿入され前記きょう体を挟んで対向する方向に前記きょう体の側面に沿ってスライドさせることで前記きょう体を前記固定金具側へ押し付けるようにした構造を有し前記きょう体の側部を押さえるような面を持つ調整金具の組を少なくともお互いに直交する方向に１組以上ずつ配置して前記転てつ装置のきょう体を取り付けることを特徴とする転てつ装置の取付方法。
【発明の詳細な説明】
【０００１】
【発明の属する技術分野】
本発明は、鉄道における分岐器の転換鎖錠等を行うための転てつ機やクランク類等の転てつ装置のきょう体を取り付けるための取付装置及びその方法に関するものである。
【０００２】
【従来の技術】
従来、鉄道において、鉄道車両の進路を一つの線路（以下、「本線」という。）から他の線路（以下、「分岐線」という。）へ移す分岐を行わせるために分岐器が用いられている。この分岐器は、一般に、図５に示すような構成を有している。図５に示す分岐器１００は、基本レールＲ１、Ｒ２と、分岐線側へのトングレールＴ１、Ｔ２と、電気転てつ機１０１と、伝動部１０８を備えている。
【０００３】
基本レールＲ１、Ｒ２に密着するトングレールＴ１、Ｔ２の先端部は、舌状に形成されている。また、伝動部１０８は、動作かん１０２と、リンク部材１０３ａ、１０３ｂ、１０３ｃ、１０３ｄ、１０３ｅ及び１０３ｆと、エスケープクランク１０４及び１０６と、スイッチアジャスタ１０５及び１０７と、転てつ棒１０９、１１０を有している。また、スイッチアジャスタ１０５、１０７は、転てつ棒１０９、１１０を介してトングレールＴ１、Ｔ２に取り付けられている。
【０００４】
また、電気転てつ機１０１は、内部に電動モータ（図示せず）を駆動力とする変換機構（図示せず）を有しており、電動モータの回転駆動力が直線方向の駆動力に変換され、動作かん１０２が図５の右側方向又は左側方向へ駆動される。この動作かん１０２の動きは、伝動部１０８によりスイッチアジャスタ１０５、１０７に伝えられ、転てつ棒１０９、１１０を介してトングレールＴ１、Ｔ２を動かす。
【０００５】
例えば、動作かん１０２が図５における右側方向に移動した場合には、スイッチアジャスタ１０５、１０７が例えば図５における下方へ移動し、これに伴いトングレールＴ２の先端（図５における左端）が基本レールＲ２に密着し、かつトングレールＴ１の先端（図５における左端）が基本レールＲ１から離れる。また、動作かん１０２が図５における左側方向に移動した場合には、スイッチアジャスタ１０５、１０７が例えば図５における上方へ移動し、これに伴いトングレールＴ２の先端が本線側のレールＲ２から離れ、かつトングレールＴ１の先端が基本レールＲ１に密着する。
【０００６】
上記のような動作により、分岐器１００は、進路を本線側又は分岐線側に切り換えるトングレール転換動作を行うことができる。この場合、トングレールが本線側レールに密着する位置のうちの一方の位置、例えばトングレールＴ１の先端が基本レールＲ１から離れトングレールＴ２の先端が基本レールＲ２に密着する位置を「定位」といい、他方の位置、例えばトングレールＴ１の先端が基本レールＲ１に密着しトングレールＴ２の先端が基本レールＲ２から離れる位置を「反位」という。これらは、列車運行上の取決めであり、これらの逆の位置を定位又は反位としてもよい。
【０００７】
上記した分岐器の転換鎖錠等を行うための転てつ機やクランク類は、図６に示す取付方法によって取り付けられている。図６は、従来の分岐器におけるエスケープクランクの構成を示す図であり、図６（Ａ）は上面図を、図６（Ｂ）は側面図を、それぞれ示している。図６に示すように、エスケープクランク１０４は、図６に示すように、まくらぎ１２１、１２２の上に敷板１２２を載置し、きょう体１０４ａのボルト取付穴１４１を元にして敷板１２２及びまくらぎ１２２にボルト取付穴を開け、取付ボルト１２３´を挿通し座金１２５´及びナット１２４´等で締結することにより、きょう体１０４ｂを敷板１２６を介してまくらぎ１２２に取り付けていた。
【０００８】
しかし、分岐器のまくらぎ取付位置は、施工時には設計図の寸法通りに位置決めされて施工することは非常に困難である。このため、転てつ機やクランク類をまくらぎ等に取り付けるためのボルト取付穴を予めまくらぎ等に正確に開けることはできない。したがって、従来は、きょう体を取り付ける位置のまくらぎの上に敷板を敷き、転てつ機やクランク類を仮置きし、ボルト取付穴の位置を決め、敷板とまくらぎにボルト取付穴を開けなければならなかった。しかも、少なくとも４個以上の複数のボルト取付穴をまくらぎ等に開けてすべてのボルト取付穴に取付ボルトを通すためには、ボルト取付穴の直径を取付ボルトの直径に対して十分な余裕を持たせる必要があった。
【０００９】
【発明が解決しようとする課題】
ところが、取付ボルトとナット等できょう体を十分に締結しても、きょう体が横方向（水平方向）からの大きな力を受けると、きょう体をまくらぎに維持する力（水平方向成分）は、きょう体と敷板等との間の摩擦係数に依存するため、取付ボルトの締め付け力の数十分の１に激減してしまう。
【００１０】
しかも、ボルト取付穴の直径が取付ボルトの直径に対して十分な余裕を持つ値に設定されている（ボルト取付穴の直径は取付ボルトの直径に余裕値を加えた値となっている）ため、取付ボルトは、微小移動が可能である。これが原因となり、例えばきょう体が横方向からの力を受けると、クランク類が微小回転したり、電気転てつ機の位置が微妙に位置ずれを起こす場合があった。このような微小回転や位置ずれが生じると、取付ボルトのナットが弛緩したり、分岐器のトングレールの接着状態が悪くなり、トングレールの先端位置が狂うことによって電気転てつ機がロック狂いを起こしやすくなる等の問題が発生していた。
【００１１】
本発明は上記の問題を解決するためになされたものであり、本発明の解決しようとする課題は、位置ずれ等が起こりにくい転てつ装置の取付装置及びその方法を提供することにある。
【００１２】
【課題を解決するための手段】
上記課題を解決するため、本発明に係る転てつ装置の取付装置は、鉄道における分岐器の転換鎖錠等を行うための転てつ機やクランク類等の転てつ装置を取り付ける装置において、転てつ機やクランク類等のきょう体の側面と上部斜面を押さえるような構造の固定金具と、固定部と前記きょう体の間に挿入され前記きょう体を挟んで対向する方向に前記きょう体の側面に沿ってスライドさせることで前記きょう体を前記固定金具側へ押し付けるようにした構造を有し前記きょう体の側部を押さえるような面を持つ調整金具の組を少なくともお互いに直交する方向に１組以上ずつ配置して前記転てつ装置のきょう体を取り付けることを特徴とする。
【００１３】
上記の転てつ装置の取付装置において、好ましくは、前記調整金具は第１調整金具と第２調整金具とを含み、前記転てつ装置は敷板を有し、前記きょう体を前記固定金具側へ押し付ける位置の反対側の位置に前記調整金具と同様の構造の第１調整金具を設け、前記調整金具と略同様の構造の第２調整金具を用いて前記第１調整金具の背面に沿ってスライドさせることで、前記第１調整金具の背部を押さえるようにした。
【００１４】
また、上記の転てつ装置の取付装置において、好ましくは、前記第２調整金具が前記第１調整金具を押さえる部分は、所定の傾斜角度を有する。
また、上記の転てつ装置の取付装置において、好ましくは、前記固定部の上部は前記調整金具へ向かって水平方向に突出し、前記調整金具の下部は前記固定部へ向けて水平方向に突出する。
【００１５】
また、本発明に係る転てつ装置の取付方法は、鉄道における分岐器の転換鎖錠等を行うための転てつ機やクランク類等の転てつ装置を取り付ける方法において、転てつ機やクランク類等のきょう体の側面と上部斜面を押さえるような構造の固定金具と、固定部と前記きょう体の間に挿入され前記きょう体を挟んで対向する方向に前記きょう体の側面に沿ってスライドさせることで前記きょう体を前記固定金具側へ押し付けるようにした構造を有し前記きょう体の側部を押さえるような面を持つ調整金具の組を少なくともお互いに直交する方向に１組以上ずつ配置して前記転てつ装置のきょう体を取り付けることを特徴とする。
【００１６】
【発明の実施の形態】
以下、本発明の実施形態について、図面を参照しながら詳細に説明する。
【００１７】
図１は、本発明の一実施形態である転てつ装置の取付装置の構成を示す図であり、図１（Ａ）は上面図を、図１（Ｂ）は側面図を、それぞれ示している。
【００１８】
図１に示すように、この取付装置１０は、敷板１６上に設けられ、固定金具１１ａ及び１１ｂと、調整金具１２と、固定部１３と、ボルト１４と、バネ座金１５と、調整金具１２´と、固定部１３´と、ボルト１４と、バネ座金１５を備えて構成されている。固定金具１１ａと調整金具１２の組と、固定金具１１ｂと調整金具１２´の組は、互いに直交する２方向に配置されている。
【００１９】
敷板１６は、エスケープクランク１０４の近傍のまくらぎ１２１及び１２２にボルト等（図示せず）により固定される。あるいは、敷板１６は、エスケープクランク１０４の近傍のレールＲ１に締結したロッド１１２、１１３に取り付けてもよい。
【００２０】
固定金具１１ａ及び１１ｂは、敷板１６上に固定された金具である。固定金具１１ａ及び１１ｂは、上部が水平方向に突出した逆Ｌ字状の構造となっており、垂直な内壁面と、この内壁面に接続する斜面状の庇面を有している。固定金具１１ａ及び１１ｂの垂直な内壁面は、エスケープクランクのきょう体１０４ａの側面Ｓ１を押さえ、斜面状の庇面は、エスケープクランクのきょう体１０４ａの上部斜面Ｓ２を押さえるような構造となっている。固定金具１１及び１１ｂは、敷板１６上にボルト等（図示せず）により固定される。
【００２１】
固定部１３は、敷板１６上に固定された突出部であり、エスケープクランクのきょう体１０４ａを挟んで固定金具１１ａ、１１ａとは反対側に配置されている。固定部１３は、図１（Ａ）における左側に、平面投影形状がテーパー状（傾斜状）となっている垂直な側壁面を有している（図１（Ａ）参照）。このテーパーの方向は、エスケープクランクのきょう体１０４ａの図１（Ａ）における右側面の方向（図１（Ａ）の上下方向）に沿っており、微小な角度だけ傾斜している。
【００２２】
調整金具１２は、敷板１６とは別体の金具であり、固定金具１１ａ、１１ａと組をなす金具である。調整金具１２は、図１（Ａ）における右側に、平面投影形状がテーパー状となっている垂直な側壁面を有しており、この右側壁のテーパーは、固定部１３のテーパーと一致している。
【００２３】
また、調整金具１２の図１（Ａ）における左側は、上部が水平方向に突出した逆Ｌ字状の構造となっており、垂直な内壁面と、この内壁面に接続する斜面状の庇面を有している。垂直な内壁面は、エスケープクランクのきょう体１０４ａの側面Ｓ１を押さえ、斜面状の庇面は、エスケープクランクのきょう体１０４ａの上部斜面Ｓ２を押さえるような構造となっている。
【００２４】
調整金具１２には、長穴１２ａが設けられており、長穴１２ａの長手方向は、調整金具１２の右側壁のテーパーの方向と一致している。
【００２５】
また、敷板１６には、固定部１３の図１（Ａ）における左側にネジ穴１６ａが予め設けられている。
【００２６】
一方、固定部１３´は、敷板１６上に固定された突出部であり、エスケープクランクのきょう体１０４ａを挟んで固定金具１１ｂ、１１ｂとは反対側に配置されている。固定部１３´は、図１（Ａ）における上側に、平面投影形状がテーパー状となっている垂直な側壁面を有している（図１（Ａ）参照）。このテーパーの方向は、エスケープクランクのきょう体１０４ａの図１（Ａ）における下側面の方向（図１（Ａ）の左右方向）に沿っており、微小な角度だけ傾斜している。
【００２７】
調整金具１２´は、敷板１６とは別体の金具であり、固定金具１１ｂ、１１ｂと組をなす金具である。調整金具１２´は、図１（Ａ）における下側に、平面投影形状がテーパー状となっている垂直な側壁面を有しており、この下側壁のテーパーは、固定部１３´のテーパーと一致している。
【００２８】
また、調整金具１２´の図１（Ａ）における上側は、上部及び下部が水平方向に突出したコ字状の構造となっている。一方、エスケープクランクのきょう体１０４ａは、図１（Ａ）における下側に、庇状の突出部１３１が図１（Ａ）における左右方向に沿って設けられている。このため、調整金具１２´のコ字状の部分がエスケープクランクのきょう体１０４ａの突出部１３１を挟み込み押さ付けるような構造となっている。
【００２９】
調整金具１２´には、長穴１２ａ´が設けられており、長穴１２ａ´の長手方向は、調整金具１２´の下側壁のテーパーの方向と一致している。
【００３０】
また、敷板１６には、固定部１３´の図１（Ａ）における上側にネジ穴１６ｂ予めが設けられている。
【００３１】
次に、エスケープクランク１０４を転てつ装置の例として、敷板１６に取り付ける場合の手順について説明する。
【００３２】
最初に、直交する２方向の固定金具１１ａ、１１ｂの凹面にきょう体１０４ａの側部を嵌め込む。これにより、固定金具１１ａ及び１１ｂの垂直な内壁面は、エスケープクランクのきょう体１０４ａの側面Ｓ１を押さえ、斜面状の庇面は、エスケープクランクのきょう体１０４ａの上部斜面Ｓ２を押さえ付ける。
【００３３】
次に、固定部１３ときょう体１０４ａの間に調整金具１２を挿入し、調整金具１２を、きょう体１０４ａの図１（Ａ）における右側面に沿って、図１（Ａ）における上方向にスライドさせる。このようにすると、固定金具１１ａと固定部１３の２つの固定箇所の間で、きょう体１０４ａと固定部１３の間に調整金具１２が押し込まれ、調整金具１２がクサビの機能を果たし、きょう体１０４ａを固定金具１１ａ側へ押し付け、動かないように拘束することができる。
【００３４】
この状態で、ボルト１４をバネ座金１５を介して長穴１２ａに挿入し、ネジ穴１６ａにねじ込むことにより、きょう体１０４ａを敷板１６に強固に固定することができる。
【００３５】
この場合、調整金具１２の図１（Ａ）における左側の逆Ｌ字状の部分が、きょう体１０４ａの側部（側面Ｓ１及び上部斜面Ｓ２）を確実に押さえ付けている。
【００３６】
また、調整金具１２の長穴１２ａにもテーパーが設けられているので、調整金具１２のクサビ作用が弛緩することが防止されている。
【００３７】
次に、上記と同様にして、固定部１３´ときょう体１０４ａの間に調整金具１２´を挿入し、調整金具１２´を、きょう体１０４ａの図１（Ａ）における右側面に沿って、図１（Ａ）における左方向にスライドさせる。このようにすると、固定金具１１ｂと固定部１３´の２つの固定箇所の間で、きょう体１０４ａと固定部１３´の間に調整金具１２´が押し込まれ、調整金具１２´がクサビの機能を果たし、きょう体１０４ａを固定金具１１ｂ側へ押し付け、動かないように拘束することができる。
【００３８】
この状態で、ボルト１４をバネ座金１５を介して長穴１２ａ´に挿入し、ネジ穴１６ｂにねじ込むことにより、きょう体１０４ａを敷板１６に固定することができる。
【００３９】
この場合、調整金具１２´の図１（Ａ）における上側のコ字状の部分が、きょう体１０４ａの側部（突出部１３１）を確実に押さえ付けている。
【００４０】
また、固定金具１１ａと調整金具１２の組と、固定金具１１ｂと調整金具１２´の組は、互いに直交する方向に配置されており、きょう体１０４ａに横方向（水平方向）のどの方向から力が作用してもクサビ作用が緩まないようになっている。
【００４１】
また、固定金具１１ａと調整金具１２の組と、固定金具１１ｂと調整金具１２´の組は、それぞれ少なくとも１組以上配置されればよい。また、１組の中での固定金具と調整金具の個数についても任意の個数であればよい。
【００４２】
上記において、敷板１６は、本発明の必須構成要素ではなく、設けなくてもよい。その場合には、エスケープクランク１０４の近傍のまくらぎ１２１、１２２上に固定金具１１ａ、１１ｂ、及び固定部１３及び１３´を設ける。
【００４３】
次に、本発明の他の実施形態について説明する。図２は、本発明の他の実施形態である転てつ装置の取付装置の構成を示す図（１）であり、図２（Ａ）は上面図を、図２（Ｂ）は側面図を、それぞれ示している。
【００４４】
図２に示すように、この取付装置２０は、敷板１６上に設けられ、固定金具１１ａ及び１１ｂと、調整金具２２と、固定部２３と、ボルト１４と、バネ座金１５と、調整金具２２´と、固定部２３´と、ボルト１４と、バネ座金１５を備えて構成されている。固定金具１１ａと調整金具２２の組と、固定金具１１ｂと調整金具２２´の組は、互いに直交する２方向に配置されている。
【００４５】
図２に示す実施形態では、調整金具２２と、固定部２３と、調整金具２２´と、固定部２３´の構成が、図１の実施形態の場合と異なっている。異なっている点は、調整金具２２と固定部２３の間のテーパー（傾斜）面の傾斜方向と、調整金具２２´と固定部２３´の間のテーパー（傾斜）面の傾斜方向が図１の場合と逆になっている点であり、他の部分の構成は、図１の実施形態と同様である。
【００４６】
このような構成により、図２の実施形態では、直交する２方向の固定金具１１ａ、１１ｂの凹面にきょう体１０４ａの側部を嵌め込んだ後、固定部２３ときょう体１０４ａの間に調整金具２２を挿入し、調整金具２２を、きょう体１０４ａの図２（Ａ）における右側面に沿って、図２（Ａ）における下方向にスライドさせると、固定金具１１ａと固定部２３の２つの固定箇所の間で、きょう体１０４ａと固定部２３の間に調整金具２２が押し込まれ、調整金具２２がクサビの機能を果たし、きょう体１０４ａを固定金具１１ａ側へ押し付け、動かないように拘束する。
【００４７】
また、図２の実施形態では、固定部２３´ときょう体１０４ａの間に調整金具２２´を挿入し、調整金具２２´を、きょう体１０４ａの図２（Ａ）における下側面に沿って、図２（Ａ）における右方向にスライドさせると、固定金具１１ｂと固定部２３´の２つの固定箇所の間で、きょう体１０４ａと固定部２３´の間に調整金具２２´が押し込まれ、調整金具２２´がクサビの機能を果たし、きょう体１０４ａを固定金具１１ｂ側へ押し付け、動かないように拘束する。
【００４８】
次に、本発明のさらに他の実施形態について説明する。図３は、本発明の他の実施形態である転てつ装置の取付装置の構成を示す図（２）であり、図３（Ａ）は上面図を、図３（Ｂ）は側面図を、それぞれ示している。
【００４９】
図３に示すように、この取付装置３０は、敷板１６上に設けられ、固定金具１１ａ及び１１ｂと、調整金具３２と、固定部３３と、ボルト１４と、バネ座金１５と、調整金具３２´と、固定部３３´と、ボルト１４と、バネ座金１５を備えて構成されている。固定金具１１ａと調整金具３２の組と、固定金具１１ｂと調整金具３２´の組は、互いに直交する２方向に配置されている。
【００５０】
図３に示す実施形態では、調整金具３２と、固定部３３と、調整金具３２´と、固定部３３´の構成が、図２の実施形態の場合と異なっている。他の部分の構成は、図２の実施形態と同様である。以下に、異なっている構成について説明する。
【００５１】
固定部３３は、敷板１６上に固定された突出部であり、エスケープクランクのきょう体１０４ａを挟んで固定金具１１ａ、１１ａとは反対側に配置されている。固定部３３は、図３（Ｂ）における左側が、上部が水平方向に突出した逆Ｌ字状の構造となっており、垂直な上部側壁面と、上部側壁面に接続する水平面と、水平面に接続する垂直な下部側壁面を有している。垂直な上部側壁面と下部側壁面は、平面投影形状がテーパー状（傾斜状）となっている（図３（Ａ）参照）。このテーパーの方向は、エスケープクランクのきょう体１０４ａの図３（Ａ）における右側面の方向（図３（Ａ）の上下方向）に沿っており、微小な角度だけ傾斜している。このテーパーの方向は、図２の実施形態の場合と同様である。
【００５２】
調整金具３２は、敷板１６とは別体の金具であり、固定金具１１ａ、１１ａと組をなす金具である。調整金具３２は、図３（Ｂ）における右側が、下部が水平方向に突出したＬ字状の構造となっており、垂直な上部側壁面と、上部側壁面に接続する水平面と、水平面に接続する垂直な下部側壁面を有している。垂直な上部側壁面と下部側壁面は、平面投影形状がテーパー状（傾斜状）となっている（図３（Ａ）参照）。このテーパーは、固定部３３のテーパーと一致している。また、調整金具３２の図３（Ａ）における左側は、図１の実施形態と同様の構成となっている。
【００５３】
調整金具３２には、長穴３２ａが設けられており、長穴３２ａの長手方向は、調整金具３２の右側壁のテーパーの方向と一致している。
【００５４】
固定部３３´と調整金具３２´についても同様な構成を有しているが、テーパーの方向はほぼ直交する方向となっている。
【００５５】
このような構成により、図３の実施形態では、直交する２方向の固定金具１１ａ、１１ｂの凹面にきょう体１０４ａの側部を嵌め込んだ後、固定部３３ときょう体１０４ａの間に調整金具３２を挿入し、調整金具３２を、きょう体１０４ａの図３（Ａ）における右側面に沿って、図３（Ａ）における下方向にスライドさせると、固定金具１１ａと固定部３３の２つの固定箇所の間で、きょう体１０４ａと固定部３３の間に調整金具３２が押し込まれ、調整金具３２がクサビの機能を果たし、きょう体１０４ａを固定金具１１ａ側へ押し付け、動かないように拘束する。また、この際、固定部３３の上部の庇状の突出部が調整金具３２を上方から押さえ付け、クサビの締め付け作用が緩むことを防止する。固定部３３´と調整金具３２´についても同様である。
【００５６】
次に、本発明の上記以外の実施形態について説明する。図４は、本発明の他の実施形態である転てつ装置の取付装置の構成を示す図（３）である。
【００５７】
図４（Ａ）の上面図に示すように、この取付装置４０は、敷板１６上に設けられ、固定金具１１ａ及び１１ｂと、第１調整金具４２と、第１固定部４３と、ボルト１４と、第２調整金具４４と、第２固定部４５と、ボルト１４と、第１調整金具４２´と、第１固定部４３´と、ボルト１４と、第２調整金具４４´と、第２固定部４５´と、ボルト１４を備えて構成されている。また、上記各実施形態の場合と同様に、バネ座金（符号は省略）も設けられている。固定金具１１ａと第１調整金具４２と第２調整金具４４の組と、固定金具１１ｂと第１調整金具４２´と第２調整金具４４´の組は、互いに直交する２方向に配置されている。
【００５８】
図４（Ａ）に示す実施形態では、第１調整金具４２と第１固定部４３の構成は、図１の実施形態における調整金具１２と固定部１３の場合と同様である。また、図４（Ａ）の実施形態では、第１調整金具４２´と第１固定部４３´の構成は、図１の実施形態における調整金具１２´と固定部１３´の場合と同様である。異なる点は、新たな構成要素として、第２調整金具４４、４４´と、第２固定部４５、４５´を設けた点である。他の部分の構成は、図１の実施形態と同様である。以下に、異なっている構成について説明する。
【００５９】
第２固定部４５は、敷板１６上に固定された突出部であり、第１調整金具４２を押し込む方向（図４（Ａ）における上方向）とは反対となる第１調整金具の側（図４（Ａ）における下側）に配置されている。第２固定部４５は、図４（Ａ）における上側が、垂直な壁面となっており、平面投影形状がテーパー状（傾斜状）となっている（図４（Ａ）参照）。このテーパーの方向は、第１調整金具４３がエスケープクランクのきょう体１０４ａを固定金具１１ａに押し付ける方向（図４（Ａ）における左へ向かう方向）に沿っており、微小な角度だけ傾斜している。
【００６０】
第２調整金具４４は、敷板１６とは別体の金具であり、固定金具１１ａ、１１ａと組をなす金具である。第２調整金具４４は、図４（Ａ）における上側４４ｂが、垂直な壁面となっており、平面投影形状が水平直線状となっている。また、第２調整金具４４は、図４（Ａ）における下側が、垂直な壁面となっており、平面投影形状がテーパー状（傾斜状）となっている（図４（Ａ）参照）。このテーパーは、第２固定部４５のテーパーと一致している。
【００６１】
第２調整金具４４には、長穴が設けられており、長穴の長手方向は、第２調整金具４４の下側壁面のテーパーの方向と一致している。
【００６２】
第２固定部４５´と第２調整金具４４´についても同様な構成を有しているが、テーパーの方向はほぼ直交する方向となっている。
【００６３】
このような構成により、図４（Ａ）の実施形態では、直交する２方向の固定金具１１ａ、１１ｂの凹面にきょう体１０４ａの側部を嵌め込んだ後、図１の実施形態の場合と同様の手順で、第１調整金具４２を図４（Ａ）の上方向へ、また第１調整金具４２´を図４（Ａ）の左方向へスライドさせ、きょう体１０４ａを固定金具１１ａ、１１ｂに押し付け、拘束する。
【００６４】
次に、第２固定部４５ときょう体１０４ａの間に第２調整金具４４を挿入し、第２調整金具４４を、背面に沿った方向（図４（Ａ）における左方向）にスライドさせると、第１調整金具４２と第２固定部４５の間に第２調整金具４４が押し込まれ、第２調整金具４４がクサビの機能を果たし、第１調整金具４２の背部を上記の押し込み方向へ押し付け、拘束する。この状態で、第１調整金具４２と第２調整金具４４のボルト１４を締め付け、固定を行うことができる。第２固定部４５´と第２調整金具４４´の作用についても同様である。
【００６５】
図４（Ｂ）は、さらに他の実施形態を示したものであり、図に示す実施形態の取付装置５０は、第１調整金具５２、５２´を押し付ける第２調整金具５４、５４´の部分５４ｂ、５４ｂ´を、上部が水平方向に突出した逆Ｌ字状の構造としたものである。
【００６６】
このような構成とすることにより、第２調整金具５５、５４´が第１調整金具５２、５２´を押し付ける際、第２調整金具の部分５４ｂ、５４ｂ´の水平突出部が第１調整金具５２、５２´の背部を上方から押さえ付け、クサビの締め付け作用が緩むことを防止する。
【００６７】
図４（Ｃ）は、さらに他の実施形態を示したものであり、図に示す実施形態の取付装置６０は、第１調整金具６２、６２´を押し付ける第２調整金具６４、６４´の部分６４ｂ、６４ｂ´の平面投影形状を、水平方向や垂直方向ではなく、所定の傾斜角度の直線状としたものである。したがって、第２調整金具６４、６４´に押し付けられる第１調整金具６２、６２´の背部６２ｂ、６２ｂ´の平面投影形状も、所定の傾斜角度の直線状となっている。
【００６８】
このような構成によっても、クサビ作用により、第２調整金具５５、５４´が第１調整金具５２、５２´を押し付ける。
【００６９】
上記のような構成により、きょう体１０４ａの横方向（水平方向）から大きな力を受けるようなことがあっても、きょう体１０４ａは、固定金具１１ａ、１１ｂと、調整金具１２、１２´、又は２２、２２´、又は３２、３２´によって隙間なく押さえ付けられているので、微小移動や微小回転は防止される。
【００７０】
しかも、従来例のように、少なくとも４箇所のボルト取付穴を開ける必要はない。取付手順は、きょう体１０４ａを固定金具１１ａ、１１ｂの側へ嵌め込んだ後、調整金具１２、１２´、又は２２、２２´、又は３２、３２´をきょう体１０４ａの側面に沿った方向にスライドさせることにより、クサビ作用により、きょう体１０４ａは固定金具側へ隙間なく押し付けられる。
【００７１】
また、調整金具１２、１２´、又は２２、２２´、又は３２、３２´をボルト１４で締め付ければ、きょう体１０４ａの上部斜面を押さえ付けることができるので、きょう体１０４ａが上方向に浮き上がることも防止できる。すなわち、１本のボルト１４締めにより、きょう体１０４ａの側面Ｓ１と上部斜面Ｓ２の両方を押さえることができるので、作業能率が向上する。
【００７２】
さらに、第１調整金具４２、４２´、又は５２、５２´、又は６２、６２´の背部を、第２調整金具４４、４４´、又は５４、５４´、又は６４、６４´によって押さえ付けるようにすれば、第１調整金具又は第２調整金具のどちらかのボルトに接損や弛緩が発生しても、きょう体１０４ａの固定状態を維持することができる。
【００７３】
上記実施形態において、分岐器の転換鎖錠等を行うための転てつ機やクランク類は、転てつ装置に相当している。
【００７４】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【００７５】
【発明の効果】
以上説明したように、本発明によれば、従来例のように少なくとも４箇所以上のきょう体の取付穴が合うように取付穴を開ける必要がないので、取付穴の位置を正確にけがいたり、取付穴を開ける時間が短縮でき、取付穴を開ける位置を誤ることもない。きょう体を固定金具と調整金具で挟み込み、調整金具でさらに押さえ込むので、従来のようなボルト締めによる方式よりもはるかに強い力で隙間なく固定できる。調整金具は、きょう体との固定部との間でクサビを打ち込んだ状態となるので、たとえボルトが緩んでも、調整金具は抜ける方向には動きにくい。したがって、短時間で確実なきょう体の固定が可能となり、たとえボルトが緩んでも、きょう体の固定状態には影響しにくい。
【図面の簡単な説明】
【図１】本発明の一実施形態である転てつ装置の取付装置の構成を示す図である。
【図２】本発明の他の実施形態である転てつ装置の取付装置の構成を示す図（１）である。
【図３】本発明の他の実施形態である転てつ装置の取付装置の構成を示す図（２）である。
【図４】本発明の他の実施形態である転てつ装置の取付装置の構成を示す図（３）である。
【図５】従来の分岐器の構成を示す上面図である。
【図６】従来の分岐器におけるエスケープクランクの構成を示す図である。
【符号の説明】
１０  転てつ装置の取付装置
１１ａ、１１ｂ  固定金具
１２、１２´  調整金具
１２ａ、１２ａ´  長穴
１３、１３´  固定部
１４  ボルト
１５  バネ座金
１６  敷板
１６ａ、１６ｂ  ネジ穴
２０  転てつ装置の取付装置
２２、２２´  調整金具
２２ａ、２２ａ´  長穴
２３、２３´  固定部
３０  転てつ装置の取付装置
３２、３２´  調整金具
３２ａ、３２ａ´  長穴
３２ｂ、３２ｂ´  段差部
３３、３３´  固定部
４０  転てつ装置の取付装置
４２、４２´  第１調整金具
４３、４３´  第１固定部
４４、４４´  第２調整金具
４５、４５´  第２固定部
５０  転てつ装置の取付装置
５２、５２´  第１調整金具
５３、５３´  第１固定部
５４、５４´  第２調整金具
５５、５５´  第２固定部
６０  転てつ装置の取付装置
６２、６２´  第１調整金具
６３、６３´  第１固定部
６４、６４´  第２調整金具
６５、６５´  第２固定部
１００  分岐器
１０１  電気転てつ機
１０１ａ  転てつ機きょう体
１０２  動作かん
１０３ａ〜１０３ｆ  リンク部材
１０４  エスケープクランク
１０４ａ、１０４ｂ  きょう体
１０５  スイッチアジャスタ
１０６  エスケープクランク
１０７  ロッド
１０８  伝動部
１０９、１１０  転てつ棒
１１２、１１３  ロッド
１２１、１２２  まくらぎ
１２３、１２３´  取付ボルト
１２４、１２４´  ナット
１２５、１２５´  座金
１２６  敷板
１３１、１３１´  突出部
１４１  ボルト取付穴
Ｒ１、Ｒ２  基本レール
Ｓ１  きょう体側面
Ｓ２  きょう体上部斜面
Ｔ１、Ｔ２  トングレール
【図１】
0004091719.tif 000002
【図２】
0004091719.tif 000003
【図３】
0004091719.tif 000004
【図４】
0004091719.tif 000005
【図５】
0004091719.tif 000006
【図６】
0004091719.tif 000007